(57)【要約】【課題】  表示領域が小さい場合にも、画像の色を容易に調整する。【解決手段】  白（着目色）を表示するＲ，Ｇ，Ｂの階調数を調整する場合、着目色パッチの階調数をＲ＝２５５，Ｇ＝２５５，Ｂ＝２５５として設定し、第１のパッチ領域２２４ａに表示する。着目色パッチに対して、Ｒの階調数を変更した色パッチ、Ｂの階調数を変更した色パッチ及びＧの階調数を変更した色パッチを表示し、最も白に近い色パッチを選択する。選択された色パッチを新たな着目色パッチとして、Ｒの階調数を変更した色パッチ、Ｂの階調数を変更した色パッチ及びＧの階調数を変更した色パッチを表示し、最も白に近い色パッチを選択することにより、白（着目色）を表示するＲ，Ｇ，Ｂの階調数を設定する。【選択図】          図６
2006094138.tif 000002
【特許請求の範囲】
【請求項１】
Ｒ，Ｇ，Ｂの少なくともいずれかの階調数が互いに異なる色の複数のパッチを表示するように制御する第１の表示制御手段と、複数のパッチのいずれかを選択する選択手段と、この選択手段によって複数のパッチのいずれかが選択された場合に、選択されたパッチに対してＲ，Ｇ，Ｂの少なくともいずれかの階調数が異なる色のパッチ及び前記選択手段により選択されたパッチを表示するように制御する第２の表示制御手段とを有することを特徴とするパッチ表示装置。
【請求項２】
前記第１の表示制御手段は、少なくとも４つのパッチを表示するように制御することを特徴とする請求項１記載のパッチ表示装置。
【請求項３】
前記第２の表示制御手段は、少なくとも４つのパッチを表示するように制御することを特徴とする請求項１又は２記載のパッチ表示装置。
【請求項４】
前記第１の表示制御手段及び前記第２の表示制御手段の少なくともいずれかは、Ｒ，Ｇ，Ｂそれぞれの階調数が同一であるパッチ及び前記選択手段により選択されたパッチの少なくともいずれかが所定の位置に表示されるように制御することを特徴とする請求項１乃至３いずれか記載のパッチ表示装置。
【請求項５】
前記第１の表示制御手段は、Ｒ，Ｇ，Ｂすべての階調数が最大である色のパッチを最初に表示するように制御することを特徴とする請求項１乃至４いずれか記載のパッチ表示装置。
【請求項６】
前記第１の表示制御手段及び前記第２の表示制御手段の少なくともいずれかは、パッチが表示される領域の周囲に黒を表示するように制御することを特徴とする請求項１乃至５いずれか記載のパッチ表示装置。
【請求項７】
前記第１の表示制御手段及び前記第２の表示制御手段の少なくともいずれかは、Ｒ，Ｇ，Ｂの少なくともいずれかの階調数が互いに異なる色の複数のパッチ以外に黒のパッチを表示するように制御することを特徴とする請求項１乃至６いずれか記載のパッチ表示装置。
【請求項８】
前記第１の表示制御手段は、Ｒ，Ｇ，Ｂいずれかの階調数が最大であり、他の階調数が０である色のパッチと、このパッチよりも階調数が小さいパッチとを表示するように制御することを特徴とする請求項１乃至４いずれか記載のパッチ表示装置。
【請求項９】
前記第１の表示制御手段及び前記第２の表示制御手段は、Ｒ，Ｇ，Ｂいずれかの階調数が最大であり、他の階調数が０である色のパッチよりも階調数が小さいパッチを複数表示するように制御することを特徴とする請求項８記載のパッチ表示装置。
【請求項１０】
Ｒ，Ｇ，Ｂの少なくともいずれかの階調数が互いに異なる色の複数のパッチを表示し、複数のパッチのいずれかが選択された場合に、選択されたパッチに対してＲ，Ｇ，Ｂの少なくともいずれかの階調数が異なる色のパッチ及び選択されたパッチを表示することを特徴とするパッチ表示方法。
【発明の詳細な説明】
【技術分野】
【０００１】
本発明は、画像の色を調整するためにパッチを表示するパッチ表示装置及びパッチ表示方法に関するものである。
【背景技術】
【０００２】
カラー画像を表示する表示装置の色管理をするために、様々なカラーマネジメント用のソフトウェアが提供されている。これらのソフトウェアを用いてカラーマネジメントを行う場合、測色器が必要であり、パッチの測色に時間がかかるという問題があった。そこで、特許文献１，２は、表示装置に表示された画像をユーザが目視することにより、測色器を用いることなく、表示装置が表示する色を調整する方法を開示している。
【０００３】
【特許文献１】特開２００２−５５６６８号公報
【特許文献２】特開平７−２８５２４１号公報
【発明の開示】
【発明が解決しようとする課題】
【０００４】
しかしながら、特許文献１に記載された方法は、Ｒ（赤），Ｇ（緑），Ｂ（青紫）すべての階調数が最大値である場合に表示される白が、例えば青白く見えてグレー軸から外れていると、適用できないという問題があった。また、特許文献２に記載された方法は、グレースケール及びカラーパッチを表示するために、ある程度の表示領域がなければパッチの選択が困難である。
【０００５】
そこで、本発明は、表示領域が小さい場合にも、画像の色を容易に調整することができるパッチ表示装置及びパッチ表示方法を提供することを目的とする。
【課題を解決するための手段】
【０００６】
上記目的を達成するため、本発明の第１の特徴とするところは、Ｒ，Ｇ，Ｂの少なくともいずれかの階調数が互いに異なる色の複数のパッチを表示するように制御する第１の表示制御手段と、複数のパッチのいずれかを選択する選択手段と、この選択手段によって複数のパッチのいずれかが選択された場合に、選択されたパッチに対してＲ，Ｇ，Ｂの少なくともいずれかの階調数が異なる色のパッチ及び前記選択手段により選択されたパッチを表示するように制御する第２の表示制御手段とを有するパッチ表示装置にある。即ち、複数のパッチを表示することにより、ユーザが所定の色に最も近い色を表示するＲ，Ｇ，Ｂの階調数を選択することができるので、表示領域が小さい場合にも、画像の色を容易に調整することができる。
【０００７】
好適には、前記第１の表示制御手段は、少なくとも４つのパッチを表示するように制御する。また、好適には、前記第２の表示制御手段は、少なくとも４つのパッチを表示するように制御する。したがって、ユーザは、Ｒ，Ｇ，Ｂの少なくともいずれかの階調数が互いに異なる４色のパッチの中から、所定の色に最も近い色を表示するＲ，Ｇ，Ｂの階調数を選択することができるので、表示領域が小さい場合にも、画像の色を容易に調整することができる。
【０００８】
また、好適には、前記第１の表示制御手段及び前記第２の表示制御手段の少なくともいずれかは、Ｒ，Ｇ，Ｂそれぞれの階調数が同一であるパッチ及び前記選択手段により選択されたパッチの少なくともいずれかが所定の位置に表示されるように制御する。したがって、ユーザは、Ｒ，Ｇ，Ｂそれぞれの階調数が同一であるパッチ及び前記選択手段により選択されたパッチの少なくともいずれかを、パッチが表示されている位置によって容易に把握することができる。
【０００９】
また、好適には、前記第１の表示制御手段は、Ｒ，Ｇ，Ｂすべての階調数が最大である色のパッチを最初に表示するように制御する。即ち、ユーザは、白色に最も近い色を表示するＲ，Ｇ，Ｂの階調数を最初に選択することができるので、表示領域が小さい場合にも、パッチ表示装置が表示する白色を最初に調整することができる。
【００１０】
また、好適には、前記第１の表示制御手段及び前記第２の表示制御手段の少なくともいずれかは、パッチが表示される領域の周囲に黒を表示するように制御する。また、好適には、前記第１の表示制御手段及び前記第２の表示制御手段の少なくともいずれかは、Ｒ，Ｇ，Ｂの少なくともいずれかの階調数が互いに異なる色の複数のパッチ以外に黒のパッチを表示するように制御する。したがって、パッチが表示される領域の周囲の色によって錯覚が起きることを防止することができ、ユーザは、パッチ表示装置が表示する色を正しく調整することができる。
【００１１】
また、好適には、前記第１の表示制御手段は、Ｒ，Ｇ，Ｂいずれかの階調数が最大であり、他の階調数が０である色のパッチと、このパッチよりも階調数が小さいパッチとを表示するように制御する。したがって、ユーザは、Ｒ，Ｇ，Ｂいずれかの階調数が最大値よりも小さいパッチが最大発色をしているか否かを確認することができるので、Ｒ，Ｇ，Ｂいずれかの再現域を判定することができる。
【００１２】
また、好適には、前記第１の表示制御手段及び前記第２の表示制御手段は、Ｒ，Ｇ，Ｂいずれかの階調数が最大であり、他の階調数が０である色のパッチよりも階調数が小さいパッチを複数表示するように制御する。したがって、ユーザは、Ｒ，Ｇ，Ｂいずれかの階調数が最大値よりも小さい複数のパッチが最大発色をしているか否かを確認することができるので、Ｒ，Ｇ，Ｂいずれかの再現域を容易に判定することができる。
【００１３】
また、本発明の第２の特徴とするところは、Ｒ，Ｇ，Ｂの少なくともいずれかの階調数が互いに異なる色の複数のパッチを表示し、複数のパッチのいずれかが選択された場合に、選択されたパッチに対してＲ，Ｇ，Ｂの少なくともいずれかの階調数が異なる色のパッチ及び選択されたパッチを表示するパッチ表示方法にある。即ち、複数のパッチを表示することにより、ユーザが所定の色に最も近い色を表示するＲ，Ｇ，Ｂの階調数を選択することができるので、表示領域が小さい場合にも、画像の色を容易に調整することができる。
【発明の効果】
【００１４】
本発明によれば、表示領域が小さい場合にも、画像の色を容易に調整することができる。
【発明を実施するための最良の形態】
【００１５】
次に本発明の実施形態を図面に基づいて説明する。
図１及び図２において、本発明の実施形態に係る表示装置の調整方法を適用する端末装置１の概要が示されている。端末装置１は、例えばデジタル方式の携帯電話であり、通信部１０、スピーカ１２、マイク１４、記憶部１６、画像入力部１８、入力部２０、表示部２２及び端末装置本体３を有し、表示装置としての機能を含むものである。端末装置本体３は、ＣＰＵ３０及びメモリ３２を有し、端末装置１を構成する各部を制御する。
【００１６】
通信部１０は、例えば他の端末装置１又は図示しないネットワークを介してサーバなどと端末装置本体３とを接続し、スピーカ１２及びマイク１４を介してユーザの通話を可能にすると共に、データの送受を行なう。記憶部１６は、メモリカードなどの記録媒体１６０、通信部１０及びＣＣＤなどの画像入力部１８から入力されるデータ、及びユーザによる設定などを記憶する。入力部２０は、テンキー及びカーソルキーなどを有し、ユーザによる指示（コマンド）などの入力を受入れる。表示部２２は、例えばＲ（赤），Ｇ（緑），Ｂ（青紫）それぞれ８ビット（２５６階調）のカラー画像を表示可能であり、サイズが例えば３インチ以下のＬＣＤパネルを有する。また、表示部２２には、例えばカーソルが表示され、表示部２２に表示されている画像及び画像上の位置などをユーザが入力部２０によって選択することができるようにされている。
【００１７】
図３において、表示部２２に表示された表示画面例が示されている。図３に示すように、表示部２２は、端末装置本体３の制御により、表示画面２２０を第１のパッチ領域２２４ａ、第２のパッチ領域２２４ｂ、第３のパッチ領域２２４ｃ及び第４のパッチ領域２２４ｄからなる４つの色パッチ領域に分割され、４通りの色パッチを表示することができるようにされている。
また、表示部２２は、第１のパッチ領域２２４ａ、第２のパッチ領域２２４ｂ、第３のパッチ領域２２４ｃ及び第４のパッチ領域２２４ｄを囲む領域に周辺領域２２６を設け、４つの色パッチが表示される場合に周辺領域２２６が黒を表示することもできるようにされている。
以下、第１のパッチ領域２２４ａ、第２のパッチ領域２２４ｂ、第３のパッチ領域２２４ｃ及び第４のパッチ領域２２４ｄに表示される色パッチを、それぞれ第１のパッチ、第２のパッチ、第３のパッチ及び第４のパッチと記すことがある。
【００１８】
図４は、端末装置本体３により実行されるＲＧＢ設定用表示プログラム４の構成を示すプログラム構成図である。図４に示すように、ＲＧＢ設定用表示プログラム４は、着目色パッチ（第１のパッチ）設定部４０、階調数ステップ設定部４２、第２のパッチ生成部４４、第３のパッチ生成部４６、第４のパッチ生成部４８、パッチ記憶部５０及び分割表示処理部５２から構成される。
【００１９】
着目色パッチ設定部４０は、入力部２０を介して入力されるユーザの指示に応じて、ユーザが着目する色を表示するためのＲ，Ｇ，Ｂの階調数を設定し、第２のパッチ生成部４４、第３のパッチ生成部４６、第４のパッチ生成部４８及びパッチ記憶部５０に対して出力する。また、着目色パッチ設定部４０は、色を表示するためにパッチ記憶部５０に記憶されたＲ，Ｇ，Ｂの階調数を受入れて、ユーザが着目する色を表示するためのＲ，Ｇ，Ｂの階調数を新たに設定することもできるようにされている。
【００２０】
階調数ステップ設定部４２は、入力部２０を介してユーザが入力する階調数ステップ（図６を用いて後述）の指示を受け入れ、第２のパッチ生成部４４、第３のパッチ生成部４６及び第４のパッチ生成部４８それぞれに対して階調数ステップを設定する。
【００２１】
第２のパッチ生成部４４は、着目色パッチ設定部４０から着目色パッチを表示するためのＲ，Ｇ，Ｂの階調数を受け入れ、階調数ステップ設定部４２から入力される階調数ステップに応じて第２のパッチ領域２２４ｂに表示する色パッチのＲ，Ｇ，Ｂの階調数を生成し、パッチ記憶部５０に対して出力する。なお、階調数ステップは、着目色パッチの階調数に対する階調数の変更幅（階調数を下げる値）を示す。
【００２２】
第３のパッチ生成部４６は、着目色パッチ設定部４０から着目色パッチを表示するためのＲ，Ｇ，Ｂの階調数を受け入れ、階調数ステップ設定部４２から入力される階調数ステップに応じて第３のパッチ領域２２４ｃに表示する色パッチのＲ，Ｇ，Ｂの階調数を生成し、パッチ記憶部５０に対して出力する。
【００２３】
第４のパッチ生成部４８は、着目色パッチ設定部４０から着目色パッチを表示するためのＲ，Ｇ，Ｂの階調数を受け入れ、階調数ステップ設定部４２から入力される階調数ステップに応じて第４のパッチ領域２２４ｄに表示する色パッチのＲ，Ｇ，Ｂの階調数を生成し、パッチ記憶部５０に対して出力する。
また、第４のパッチ生成部４８は、色パッチを表示するためにパッチ記憶部５０に記憶されたＲ，Ｇ，Ｂの階調数を受入れて、所定の色パッチを表示するためのＲ，Ｇ，Ｂの階調数を設定することもできるようにされている。
なお、階調数ステップは、値を固定されてもよいし、色パッチを表示する毎に値を変更されてもよい。また、階調数ステップは、Ｒ，Ｇ，Ｂそれぞれに対して同じ値であってもよいし、個々に設定されてもよい。
【００２４】
パッチ記憶部５０は、着目色パッチ（第１のパッチ）設定部４０、第２のパッチ生成部４４、第３のパッチ生成部４６及び第４のパッチ生成部４８それぞれから受入れたＲ，Ｇ，Ｂの階調数を記憶すると共に、分割表示処理部５２に対して出力する。
分割表示処理部５２は、パッチ記憶部５０から受入れたＲ，Ｇ，Ｂの階調数の色パッチそれぞれが、対応する第１のパッチ領域２２４ａ、第２のパッチ領域２２４ｂ、第３のパッチ領域２２４ｃ及び第４のパッチ領域２２４ｄそれぞれに表示されるように画像データを処理し、表示部２２に対して出力する。また、分割表示処理部５２は、周辺領域２２６が黒を表示するように設定されてもよい。
【００２５】
次に、表示部２２に表示される所定の色に対してＲ，Ｇ，Ｂの階調数を調整する方法について説明する。
図５は、表示部２２に表示される所定の色に対してＲ，Ｇ，Ｂの階調数を調整する方法（Ｓ１０）を示すフローチャートである。
図５に示すように、ステップ１００（Ｓ１００）において、ユーザは、入力部２０を介してＲ，Ｇ，Ｂの階調数を調整する所定の色（着目色パッチ）を設定する。
【００２６】
ステップ１０２（Ｓ１０２）において、ユーザは、入力部２０を介して階調数ステップを設定する。
【００２７】
ステップ１０４（Ｓ１０４）において、第２のパッチ生成部４４は、着目色パッチ設定部４０から受入れたＲ，Ｇ，Ｂの階調数に対し、階調数ステップ設定部４２から入力される階調数ステップに応じて第２のパッチ領域２２４ｂに表示する色パッチのＲ，Ｇ，Ｂの階調数を生成し、パッチ記憶部５０に対して出力する。
【００２８】
ステップ１０６（Ｓ１０６）において、第３のパッチ生成部４６は、着目色パッチ設定部４０から受入れたＲ，Ｇ，Ｂの階調数に対し、階調数ステップ設定部４２から入力される階調数ステップに応じて第３のパッチ領域２２４ｃに表示する色パッチのＲ，Ｇ，Ｂの階調数を生成し、パッチ記憶部５０に対して出力する。
【００２９】
ステップ１０８（Ｓ１０８）において、第４のパッチ生成部４８は、着目色パッチ設定部４０から受入れたＲ，Ｇ，Ｂの階調数に対し、階調数ステップ設定部４２から入力される階調数ステップに応じて第４のパッチ領域２２４ｄに表示する色パッチのＲ，Ｇ，Ｂの階調数を生成し、パッチ記憶部５０に対して出力する。
【００３０】
ステップ１１０（Ｓ１１０）において、パッチ記憶部５０は、着目色パッチ設定部４０、第２のパッチ生成部４４、第３のパッチ生成部４６及び第４のパッチ生成部４８それぞれから受入れたＲ，Ｇ，Ｂの階調数を記憶すると共に、分割表示処理部５２に対して出力する。
【００３１】
ステップ１１２（Ｓ１１２）において、分割表示処理部５２は、パッチ記憶部５０から受入れたＲ，Ｇ，Ｂの階調数それぞれが、対応する第１のパッチ領域２２４ａ、第２のパッチ領域２２４ｂ、第３のパッチ領域２２４ｃ及び第４のパッチ領域２２４ｄそれぞれに表示されるように画像データを処理し、表示部２２に対して出力する。つまり、表示部２２の表示画面２２０が分割されて、４通りの色パッチが表示される。
【００３２】
ステップ１１４（Ｓ１１４）において、ユーザは、第１のパッチ領域２２４ａ、第２のパッチ領域２２４ｂ、第３のパッチ領域２２４ｃ及び第４のパッチ領域２２４ｄのいずれかに所定の色のパッチがあるか否かを目視により判断し、所定の色パッチがある場合にはＳ１１８の処理に進み、所定の色パッチがない場合にはＳ１１６の処理に進む。
【００３３】
ステップ１１６（Ｓ１１６）において、ユーザは、入力部２０を介し、第１のパッチ領域２２４ａ、第２のパッチ領域２２４ｂ、第３のパッチ領域２２４ｃ及び第４のパッチ領域２２４ｄに表示された色パッチから最も所定の色に近い色パッチを選択し、Ｓ１０２の処理に進む。ユーザが最も所定の色に近い色パッチを選択すると、着目色パッチ設定部４０は、選択された色パッチを表示するＲ，Ｇ，Ｂの階調数をパッチ記憶部５０から受け入れ、新たな着目色パッチを表示するＲ，Ｇ，Ｂの階調数として設定し、第２のパッチ生成部４４、第３のパッチ生成部４６、第４のパッチ生成部４８及びパッチ記憶部５０に対して出力する。
【００３４】
ステップ１１８（Ｓ１１８）において、端末装置本体３は、ユーザが所定の色と判断した色パッチを表示するＲ，Ｇ，Ｂの階調数を、所定の色の調整されたＲ，Ｇ，Ｂの階調数として設定し、記憶部１６に記憶させる。
【００３５】
次に、所定の色に対してＲ，Ｇ，Ｂの階調数を調整する方法（Ｓ１０）の実施例について説明する。
図６は、図５に示した所定の色に対してＲ，Ｇ，Ｂの階調数を調整する方法（Ｓ１０）により、白を表示するＲ，Ｇ，Ｂの階調数を調整（ホワイトポイントを調整）する場合の表示画面例であって、（Ａ）はユーザが最初に設定した着目色パッチに基づく表示画面例であり、（Ｂ）は新たに設定された着目色パッチに基づく表示画面例である。
白を表示するＲ，Ｇ，Ｂの階調数を調整する場合、着目色パッチ設定部４０は、ユーザの指示に応じて、Ｒ＝２５５，Ｇ＝２５５，Ｂ＝２５５を着目色パッチの階調数として設定する。
【００３６】
また、Ｒ，Ｇ，Ｂの階調数それぞれに対し、例えば階調数ステップの値を−１５（階調数の値を１５下げる）とする指示をユーザが入力部２０を介して入力すると、例えば第２のパッチ生成部４４はＲの階調数を１５下げ、第３のパッチ生成部４６はＢの階調数を１５下げ、第４のパッチ生成部４８はＧの階調数を１５下げてパッチ記憶部５０に対して出力する。
【００３７】
分割表示処理部５２は、図６（Ａ）に示すように、第１のパッチ領域２２４ａにＲ＝２５５，Ｇ＝２５５，Ｂ＝２５５の色パッチ（着目色パッチ）を表示し、第２のパッチ領域２２４ｂにＲ＝２４０，Ｇ＝２５５，Ｂ＝２５５の色パッチを表示し、第３のパッチ領域２２４ｃにＲ＝２５５，Ｇ＝２５５，Ｂ＝２４０の色パッチを表示し、第４のパッチ領域２２４ｄにＲ＝２５５，Ｇ＝２４０，Ｂ＝２５５の色パッチを表示する。つまり、表示部２２において、着目色パッチの右側にＲの階調数を変更した色パッチが表示され、着目色パッチの下側にＢの階調数を変更した色パッチが表示され、着目色パッチの対角（図６（Ａ）において右下）にＧの階調数を変更した色パッチが表示されるようになっており、ユーザは、色パッチの位置により、着目色パッチに対してＲ，Ｇ，Ｂの階調数のいずれが変更されているかを把握することができる。また、Ｒ，Ｇ，Ｂの階調数について、表示・非表示を切替えることができるようにしてもよい。プロファイルが提供されている場合には、Ｒ，Ｇ，Ｂの階調数に対して変換された値が表示されるようにしてもよい。
なお、図６（Ａ）に示した表示画面例において、例えば第２のパッチ領域２２４ｂに表示されたＲ＝２４０，Ｇ＝２５５，Ｂ＝２５５の色パッチが４つの色パッチの中で最も白に近く表示されているものとする。
【００３８】
第２のパッチ領域２２４ｂに表示された色パッチが４つの色パッチの中で最も白に近い色である場合、ユーザが入力部２０を介して第２のパッチ領域２２４ｂに表示された色パッチを選択することにより、Ｒ＝２４０，Ｇ＝２５５，Ｂ＝２５５の色パッチが新たな着目色パッチとして設定される。
【００３９】
着目色パッチが新たに設定されると、図６（Ｂ）に示すように、第１のパッチ領域２２４ａにＲ＝２４０，Ｇ＝２５５，Ｂ＝２５５の色パッチ（新たな着目色パッチ）表示が表示される。また、階調数ステップがＲ，Ｇ，Ｂの階調数それぞれに対して変更されていない場合、第２のパッチ領域２２４ｂには、Ｒ＝２２５，Ｇ＝２５５，Ｂ＝２５５の色パッチが表示され、第３のパッチ領域２２４ｃには、Ｒ＝２４０，Ｇ＝２５５，Ｂ＝２４０の色パッチが表示され、第４のパッチ領域２２４ｄにＲ＝２４０，Ｇ＝２４０，Ｂ＝２５５の色パッチが表示される。
【００４０】
図６（Ｂ）に示した表示画面例において、白の色パッチがある場合、ユーザが入力部２０を介して白である色パッチを選択することにより、選択された色パッチのＲ，Ｇ，Ｂの階調数が白を表示する調整されたＲ，Ｇ，Ｂの階調数（ホワイトポイント）として設定される。白の色パッチがない場合には、最も白に近い色パッチを選択し、さらに新たな着目色パッチを設定するようにしてもよい。
また、ホワイトポイントを調整する場合、周辺領域２２６に黒を表示し、錯覚によって誤った判断をしてしまうことを防止するようにしてもよい。
また、Ｓ１０の方法により、グレーに対しても調整されたＲ，Ｇ，Ｂの階調数を設定することができる。
【００４１】
図７は、端末装置本体３により実行されるグレー軸の確認表示プログラム６の構成を示すプログラム構成図である。図７に示すように、グレー軸の確認表示プログラム６は、基準パッチ設定部６０、黒パッチ設定部６２−１，６２−２、確認パッチ設定部６４及び確認表示処理部６６から構成される。
【００４２】
基準パッチ設定部６０は、入力部２０を介して入力されるユーザの指示（グレー軸を確認するコマンド）に応じて、例えば調整された白又はグレーを表示するＲ，Ｇ，Ｂの階調数を記憶部１６から受け入れ、グレー軸を確認するための基準パッチを表示するＲ，Ｇ，Ｂの階調数として設定し、確認表示処理部６６に対して出力する。
【００４３】
黒パッチ設定部６２−１，６２−２それぞれは、入力部２０を介して入力されるユーザの指示（グレー軸を確認するコマンド）に応じて、黒パッチを表示するためにＲ＝０，Ｇ＝０，Ｂ＝０の階調数を設定し、確認表示処理部６６に対して出力する。
【００４４】
確認パッチ設定部６４は、入力部２０を介して入力されるユーザの指示（グレー軸を確認するコマンド）に応じて、グレー軸上にあるか否かを確認される対象であるパッチ（確認対象パッチ）を表示するＲ，Ｇ，Ｂの階調数を記憶部１６から受け入れ、確認対象パッチを表示するＲ，Ｇ，Ｂの階調数として設定し、確認表示処理部６６に対して出力する。
【００４５】
確認表示処理部６６は、基準パッチ設定部６０から受入れたＲ，Ｇ，Ｂの階調数の色パッチ（基準パッチ）が第１のパッチ領域２２４ａに表示され、黒パッチ設定部６２−１，６２−２から受入れたＲ，Ｇ，Ｂの階調数の色パッチ（黒パッチ）が第２のパッチ領域２２４ｂ及び第３のパッチ領域２２４ｃに表示され、確認パッチ設定部６４から受入れたＲ，Ｇ，Ｂの階調数の色パッチ（確認対象パッチ）が第４のパッチ領域２２４ｄに表示されるように、画像データを処理し、表示部２２に対して出力する。また、確認表示処理部６６は、周辺領域２２６が黒を表示するように設定されてもよい。
【００４６】
次に、確認対象パッチがグレー軸上にあるか否かを確認する方法について説明する。
図８は、確認対象パッチがグレー軸上にあるか否かを確認する方法（Ｓ２０）を示すフローチャートである。
図８に示すように、ステップ２００（Ｓ２００）において、ユーザが入力部２０を介してグレー軸を確認するコマンド入力すると、基準パッチ設定部６０は、調整された白又はグレー軸上にあることを確認されたグレーを表示するＲ，Ｇ，Ｂの階調数を記憶部１６から受け入れ、グレー軸を確認するための基準パッチを表示するＲ，Ｇ，Ｂの階調数として設定し、確認表示処理部６６に対して出力する。
【００４７】
ステップ２０２（Ｓ２０２）において、ユーザが入力部２０を介してグレー軸を確認するコマンド入力すると、確認パッチ設定部６４は、グレー軸上にあるか否かを確認される対象であるパッチ（確認対象パッチ）を表示するＲ，Ｇ，Ｂの階調数を記憶部１６から受け入れ、確認対象パッチを表示するＲ，Ｇ，Ｂの階調数として設定し、確認表示処理部６６に対して出力する。
【００４８】
ステップ２０４（Ｓ２０４）において、黒パッチ設定部６２−１，６２−２それぞれは、入力部２０を介して入力されるユーザの指示（グレー軸を確認するコマンド）に応じて、黒パッチを表示するためにＲ＝０，Ｇ＝０，Ｂ＝０の階調数を設定し、確認表示処理部６６に対して出力する。
【００４９】
ステップ２０６（Ｓ２０６）において、表示部２２は、確認表示処理部６６から入力されたＲ，Ｇ，Ｂの階調数それぞれに応じて、基準パッチを第１のパッチ領域２２４ａに表示し、確認対象パッチを第４のパッチ領域２２４ｄに表示し、黒パッチを第２のパッチ領域２２４ｂ及び第３のパッチ領域２２４ｃに表示する。
【００５０】
ステップ２０８（Ｓ２０８）において、ユーザは、第４のパッチ領域２２４ｄに表示された確認対象パッチがグレーであるか否かを目視により判断し、判断結果を入力部２０を介して入力する。ユーザの入力に応じて、端末装置本体３は、確認対象パッチがグレーである場合にはＳ２１０の処理に進み、確認対象パッチがグレーでない場合にはＳ２０２の処理に進む。
【００５１】
ステップ２１０（Ｓ２１０）において、端末装置本体３は、ユーザがグレーと判断した色パッチを表示するＲ，Ｇ，Ｂの階調数を、調整されたグレーを表示するＲ，Ｇ，Ｂの階調数として設定し、記憶部１６に記憶させる。
【００５２】
次に確認対象パッチがグレー軸上にあるか否かを確認する方法（Ｓ２０）の実施例について説明する。
図９は、図８に示した確認対象パッチがグレー軸上にあるか否かを確認する方法（Ｓ２０）により、確認対象パッチがグレー軸上にあるか否かを確認する場合の表示画面例であって、（Ａ）はユーザがグレー軸上にあるか否かを確認する確認対象パッチを選択する表示画面例であり、（Ｂ）は確認対象パッチがグレー軸上にあるか否かを確認する表示画面例である。
【００５３】
ユーザがグレー軸上にあるか否かを確認する確認対象パッチを選択する場合、例えば調整されたホワイトポイントのＲ，Ｇ，Ｂの階調数に対し、指定された階調数ステップによってＲ，Ｇ，Ｂそれぞれの階調数を変更したグレーを着目色パッチとし、上述したＳ１０に示した方法によって設定されたグレーをＲ，Ｇ，Ｂの階調数を調整されたグレーとして確認対象パッチとする。
例えば、図９（Ａ）に示すように、調整されたホワイトポイントの階調数をＲ＝２４０，Ｇ＝２５５，Ｂ＝２５５とし、階調数ステップの値を−１５として、ホワイトポイントよりも暗いＲ＝２２５，Ｇ＝２４０，Ｂ＝２４０の色パッチを着目色パッチとすると、Ｓ１０に示した方法によって第２のパッチ領域２２４ｂ、第３のパッチ領域２２４ｃ及び第４のパッチ領域２２４ｄには、それぞれ階調数がＲ＝２１０，Ｇ＝２４０，Ｂ＝２４０の色パッチ、Ｒ＝２２５，Ｇ＝２４０，Ｂ＝２２５の色パッチ及びＲ＝２２５，Ｇ＝２２５，Ｂ＝２４０の色パッチが表示される。
なお、図９（Ａ）において、例えば第２のパッチ領域２２４ｂに表示された色パッチが最もグレーに近い色を表示しているものとする。
【００５４】
ユーザがＳ１０に示した方法によって第２のパッチ領域２２４ｂに表示された色パッチを選択し、例えば白が基準パッチとして設定されてＳ２０に示した方法が実施されると、図９（Ｂ）に示すように、第１のパッチ領域２２４ａには調整された白（Ｒ＝２４０，Ｇ＝２５５，Ｂ＝２５５）が表示され、第２のパッチ領域２２４ｂ及び第３のパッチ領域２２４ｃには黒が表示され、第４のパッチ領域２２４ｄに確認対象パッチとなる階調数がＲ＝２１０，Ｇ＝２４０，Ｂ＝２４０の色パッチが表示される。
つまり、第１のパッチ領域２２４ａに白が表示され、第２のパッチ領域２２４ｂ及び第３のパッチ領域２２４ｃに黒が表示されているので、ユーザは、第４のパッチ領域２２４ｄに表示された確認対象パッチがグレー軸上の色であるか否かを正しく確認することができる。
【００５５】
また、確認対象パッチがグレー軸上の色であることが確認されると、グレー軸上にある色パッチを基準パッチとし、さらに暗いグレーを確認対象パッチとすることにより、グレー軸上に振れが生じているか否かを確認することができる。
【００５６】
次に、表示部２２に表示されるカラー再現域を判定する方法について説明する。
図１０は、表示部２２に表示されるカラー再現域を判定する方法（Ｓ３０）を示すフローチャートである。
図１０に示すように、ステップ３００（Ｓ３００）において、ユーザは、入力部２０を介してＲ，Ｇ，Ｂいずれかの最大発色パッチを設定する。
なお、最大発色パッチは、Ｒ，Ｇ，Ｂいずれかの階調数が最大値（２５５）であり、その他の階調数が０の着目色パッチである。
【００５７】
ステップ３０２（Ｓ３０２）において、ユーザは、Ｓ３００において設定された発色しているＲ，Ｇ，Ｂいずれかのみを第２のパッチ生成部４４、第３のパッチ生成部４６及び第４のパッチ生成部４８が異なる値で階調数を下げるように、階調数ステップ設定部４２に対し、入力部２０を介して階調数ステップをそれぞれ設定する。
【００５８】
ステップ３０４（Ｓ３０４）において、第２のパッチ生成部４４、第３のパッチ生成部４６及び第４のパッチ生成部４８は、着目色パッチ設定部４０から受入れたＲ，Ｇ，Ｂの階調数に対し、階調数ステップ設定部４２から入力される階調数ステップに応じて、それぞれ第２のパッチ領域２２４ｂ、第３のパッチ領域２２４ｃ及び第４のパッチ領域２２４ｄに表示する色パッチのＲ，Ｇ，Ｂの階調数を生成し、パッチ記憶部５０に対して出力する。
つまり、第２のパッチ生成部４４、第３のパッチ生成部４６及び第４のパッチ生成部４８は、発色しているＲ，Ｇ，Ｂいずれかのみの階調数をそれぞれ異なる階調数ステップで変更する。
【００５９】
ステップ３０６（Ｓ３０６）において、パッチ記憶部５０は、着目色パッチ設定部４０、第２のパッチ生成部４４、第３のパッチ生成部４６及び第４のパッチ生成部４８それぞれから受入れたＲ，Ｇ，Ｂの階調数を記憶すると共に、分割表示処理部５２に対して出力する。
【００６０】
ステップ３０８（Ｓ３０８）において、分割表示処理部５２は、パッチ記憶部５０から受入れたＲ，Ｇ，Ｂの階調数の色パッチが、対応する第１のパッチ領域２２４ａ、第２のパッチ領域２２４ｂ、第３のパッチ領域２２４ｃ及び第４のパッチ領域２２４ｄそれぞれに表示されるように画像データを処理し、表示部２２に対して出力する。つまり、発色しているＲ，Ｇ，Ｂいずれかの階調数のみが異なり、他の階調数が０である色パッチが表示部２２に４通り表示される。
【００６１】
ステップ３１０（Ｓ３１０）において、ユーザは、最大発色になっている色パッチの階調数を確認する。端末装置本体３は、ユーザの入力に応じて、発色しているＲ，Ｇ，Ｂいずれかの階調数が最小の色パッチが最大発色（いずれの色パッチも同じ色）している場合にはＳ３１２の処理に進み、発色しているＲ，Ｇ，Ｂいずれかの階調数が最大の色パッチのみが最大発色している場合にはＳ３１４の処理に進み、その他の場合にはＳ３２０の処理に進む。
【００６２】
ステップ３１２（Ｓ３１２）において、ユーザは、入力部２０を介して階調数ステップの値を大きくし、Ｓ３０４の処理に進む。
【００６３】
ステップ３１４（Ｓ３１４）において、ユーザは、最大発色をしている色パッチを表示するＲ，Ｇ，Ｂいずれかの階調数が再現域限界であるか否かを判断し、再現域限界と判断しない場合にはＳ３１６の処理に進み、再現域限界と判断する場合にはＳ３１８の処理に進む。
【００６４】
ステップ３１６（Ｓ３１６）において、ユーザは、入力部２０を介して階調数ステップの値を小さくし、Ｓ３０４の処理に進む。
【００６５】
ステップ３１８（Ｓ３１８）において、端末装置本体３は、発色しているＲ，Ｇ，Ｂいずれかの階調数が最大の色パッチに対し、発色しているＲ，Ｇ，Ｂいずれかの階調数を再現域限界として設定し、記憶部１６に記憶させる。
【００６６】
ステップ３２０（Ｓ３２０）において、ユーザは、最大発色になっている色パッチの中で、発色しているＲ，Ｇ，Ｂいずれかの階調数が最小の色パッチを新たな着目色パッチとして設定する。
【００６７】
ステップ３２２（Ｓ３２２）において、ユーザは、Ｓ３００の処理で設定された発色しているＲ，Ｇ，Ｂいずれかの階調数と、Ｓ３２０の処理で設定された着目色パッチとの間の階調数の色パッチが表示されるように、階調数ステップの値を小さくする。つまり、Ｓ３００の処理で設定された発色しているＲ，Ｇ，Ｂいずれかの階調数と、Ｓ３２０の処理で設定された着目色パッチとの間の階調数との差を分割するように、階調数ステップの値を設定する。
【００６８】
ステップ３２４（Ｓ３２４）において、第２のパッチ生成部４４、第３のパッチ生成部４６は、着目色パッチ設定部４０から受入れたＲ，Ｇ，Ｂの階調数に対し、階調数ステップ設定部４２から入力される階調数ステップに応じて、それぞれ第２のパッチ領域２２４ｂ、第３のパッチ領域２２４ｃに表示する色パッチのＲ，Ｇ，Ｂの階調数を生成し、パッチ記憶部５０に対して出力する。また、第４のパッチ生成部４８は、Ｓ３２０の処理において新たに着目色パッチが設定される以前の着目色パッチをパッチ記憶部５０から受け入れ、第４のパッチ領域２２４ｄに表示する色パッチとしてパッチ記憶部５０に対して出力する。
【００６９】
ステップ３２６（Ｓ３２６）において、パッチ記憶部５０は、着目色パッチ設定部４０、第２のパッチ生成部４４、第３のパッチ生成部４６及び第４のパッチ生成部４８それぞれから受入れたＲ，Ｇ，Ｂの階調数を記憶すると共に、分割表示処理部５２に対して出力する。
【００７０】
ステップ３２８（Ｓ３２８）において、分割表示処理部５２は、パッチ記憶部５０から受入れたＲ，Ｇ，Ｂの階調数の色パッチが、対応する第１のパッチ領域２２４ａ、第２のパッチ領域２２４ｂ、第３のパッチ領域２２４ｃ及び第４のパッチ領域２２４ｄそれぞれに表示されるように画像データを処理し、表示部２２に対して出力する。つまり、表示部２２は、新たな着目色パッチを第１のパッチ領域２２４ａに表示し、以前の着目色パッチを第４のパッチ領域２２４ｄに表示し、第２のパッチ領域２２４ｂ及び第３のパッチ領域２２４ｃには新たな着目色パッチと以前の着目色パッチとの間の階調数の色パッチを表示する。
【００７１】
ステップ３３０（Ｓ３３０）において、ユーザは、最大発色になっている色パッチの階調数を確認する。端末装置本体３は、ユーザの入力に応じて、発色しているＲ，Ｇ，Ｂいずれかの階調数が最小の色パッチが最大発色（いずれの色パッチも同じ色）している場合にはＳ３３２の処理に進み、その他の場合にはＳ３３４の処理に進む。
【００７２】
ステップ３３２（Ｓ３３２）において、端末装置本体３は、発色しているＲ，Ｇ，Ｂいずれかの階調数が最小の色パッチのＲ，Ｇ，Ｂいずれかの階調数を再現域限界として設定し、記憶部１６に記憶させる。
【００７３】
ステップ３３４（Ｓ３３４）において、端末装置本体３は、最大発色しているＲ，Ｇ，Ｂいずれかの階調数を再現域限界として設定し、記憶部１６に記憶させる。
【００７４】
次に表示部２２に表示されるカラー再現域を判定する方法（Ｓ３０）の実施例について説明する。
図１１は、図１０に示した表示部２２に表示されるカラー再現域を判定する方法（Ｓ３０）により、Ｒの再現域を判定する場合の表示画面例であって、（Ａ）はユーザが最初に設定した最大発色パッチ（着目色パッチ）に基づく表示画面例であり、（Ｂ）は新たに設定された着目色パッチに基づく表示画面例である。
Ｒの再現域を判定する場合、着目色パッチ設定部４０は、ユーザの指示に応じて、最大発色パッチ（着目色パッチ）を表示するＲ，Ｇ，Ｂの階調数としてＲ＝２５５，Ｇ＝０，Ｂ＝０を設定する。
【００７５】
また、例えば第２のパッチ生成部４４に対する階調数ステップの値が−５になり、第３のパッチ生成部４６に対する階調数ステップの値が−１０になり、第４のパッチ生成部４８に対する階調数ステップの値が−１５になるように、ユーザが階調数ステップ設定部４２に対し、入力部２０を介して階調数ステップをそれぞれ設定すると、図１１（Ａ）に示された色パッチが表示される。
【００７６】
即ち、分割表示処理部５２は、図１１（Ａ）に示すように、第１のパッチ領域２２４ａにＲ＝２５５，Ｇ＝０，Ｂ＝０の最大発色パッチ（着目色パッチ）を表示し、第２のパッチ領域２２４ｂにＲ＝２５０，Ｇ＝０，Ｂ＝０の色パッチを表示し、第３のパッチ領域２２４ｃにＲ＝２４５，Ｇ＝０，Ｂ＝０の色パッチを表示し、第４のパッチ領域２２４ｄにＲ＝２４０，Ｇ＝０，Ｂ＝０の色パッチを表示する。
なお、図１１（Ａ）に示した表示画面例において、例えば第２のパッチ領域２２４ｂに表示されたＲ＝２５０，Ｇ＝０，Ｂ＝０の色パッチが、第１のパッチ領域２２４ａに表示されたＲ＝２５５，Ｇ＝０，Ｂ＝０の最大発色パッチ（着目色パッチ）と概略同じ色に見えるものとする。
【００７７】
ユーザが入力部２０を介して第２のパッチ領域２２４ｂに表示された色パッチを選択することにより、Ｒ＝２５０，Ｇ＝０，Ｂ＝０の色パッチが新たな着目色パッチとして設定される。
【００７８】
着目色パッチが新たに設定されると、図１１（Ｂ）に示すように、第１のパッチ領域２２４ａにＲ＝２５０，Ｇ＝０，Ｂ＝０の色パッチ（新たな着目色パッチ）が表示される。また、第４のパッチ領域２２４ｄには、以前の着目色パッチ（Ｒ＝２５５，Ｇ＝０，Ｂ＝０）が表示される。また、Ｒ＝２５０，Ｇ＝０，Ｂ＝０の色パッチは、図１１（Ａ）に示した表示画面例において、発色しているＲの階調数が最小の色パッチでも最大の色パッチでもないので、図１１（Ｂ）に示した表示画面例において、第２のパッチ領域２２４ｂ及び第３のパッチ領域２２４ｃには、新たな着目色パッチと以前の着目パッチとの間の階調数（２５０＜Ｒ＝２５２，２５３＜２５５）の色パッチが表示されている。
【００７９】
図１１（Ｂ）に示した表示画面例において、第１のパッチ領域２２４ａ、第２のパッチ領域２２４ｂ、第３のパッチ領域２２４ｃ及び第４のパッチ領域２２４ｄに表示された色パッチが全て概略同じ色に見える場合、ユーザは、２５０がＲの階調数の再現域限界であると判断することができ、入力部２０を介してＲ＝２５０の色パッチを選択し、２５０をＲの階調数の再現域限界として記憶部１６にさせる。
【００８０】
一方、例えば第２のパッチ領域２２４ｂ及び第３のパッチ領域２２４ｃに表示された色パッチが以前の着目パッチと概略同じ色に見える場合、ユーザは、第２のパッチ領域２２４ｂに表示されたＲの階調数が小さい色パッチを選択し、２５２をＲの階調数の再現域限界として記憶部１６にさせる。
また、Ｇ，Ｂの再現域限界についても同様に、Ｓ３０に示した方法によって設定することができる。
【００８１】
次に、端末装置１が表示をするために提供されているプロファイルを修正する方法について説明する。
ユーザは、上述したＳ１０〜Ｓ３０に示した方法による色表示の調整方法などを組合わせることにより、端末装置１の表示に対するプロファイルを修正することができる。
図１２は、ユーザが端末装置１の表示に対するプロファイルを修正する方法（Ｓ４０）を示すフローチャートである。
図１２に示すように、ステップ４００（Ｓ４００）において、ユーザは、着目色パッチを白に設定し、Ｓ１０に示した方法により、ホワイトポイントを調整する。
【００８２】
ステップ４０２（Ｓ４０２）において、ユーザは、着目色パッチをグレーに設定し、Ｓ１０に示した方法により、グレースケールを調整する。
【００８３】
ステップ４０４（Ｓ４０４）において、ユーザは、Ｓ２０に示した方法により、グレースケールがグレー軸上にあるか否かを確認する。
【００８４】
ステップ４０６（Ｓ４０６）において、ユーザは、Ｓ３０に示した方法により、Ｒ，Ｇ，Ｂそれぞれの再現域限界を設定する。
【００８５】
ステップ４０８（Ｓ４０８）において、ユーザは、Ｓ４００〜Ｓ４０６の処理において記憶部１６に記憶された設定を用いて、プロファイルを修正するためのパラメータを生成する。
【００８６】
ステップ４１０（Ｓ４１０）において、ユーザは、Ｓ４０８の処理で生成したパラメータを用いて、供給されているプロファイルを修正する。
【００８７】
このように、ユーザは、端末装置１の表示部２２に表示される色を調整することにより、例えば他のユーザから送信された画像の色を正しく見ることができる。また、表示装置としての機能を含む端末装置は、ＰＤＡ（Personal Digital Assistants）などであってもよい。
【図面の簡単な説明】
【００８８】
【図１】本発明の実施形態に係る表示装置の調整方法を適用する端末装置の外形を示す正面図である。
【図２】本発明の実施形態に係る表示装置の調整方法を適用する端末装置の構成を示す構成図である。
【図３】本発明の実施形態に係る表示装置の調整方法を適用する端末装置の表示部に表示された表示画面例である。
【図４】端末装置本体により実行されるＲＧＢ設定用表示プログラムの構成を示すプログラム構成図である。
【図５】表示部に表示される所定の色に対してＲ，Ｇ，Ｂの階調数を調整する方法（Ｓ１０）を示すフローチャートである。
【図６】図５に示したＲ，Ｇ，Ｂの階調数を調整する方法（Ｓ１０）により、白を表示するＲ，Ｇ，Ｂの階調数を調整（ホワイトポイントを調整）する場合の表示画面例であって、（Ａ）はユーザが最初に設定した着目色パッチに基づく表示画面例であり、（Ｂ）は新たに設定された着目色パッチに基づく表示画面例である。
【図７】端末装置本体により実行されるグレー軸の確認表示プログラムの構成を示すプログラム構成図である。
【図８】確認対象パッチがグレー軸上にあるか否かを確認する方法（Ｓ２０）を示すフローチャートである。
【図９】図８に示した確認対象パッチがグレー軸上にあるか否かを確認する方法（Ｓ２０）により、確認対象パッチがグレー軸上にあるか否かを確認する場合の表示画面例であって、（Ａ）はユーザがグレー軸上にあるか否かを確認する確認対象パッチを選択する表示画面例であり、（Ｂ）は確認対象パッチがグレー軸上にあるか否かを確認する表示画面例である。
【図１０】表示部に表示されるカラー再現域を判定する方法（Ｓ３０）を示すフローチャートである。
【図１１】図１０に示した表示部に表示されるカラー再現域を判定する方法（Ｓ３０）により、Ｒの再現域を判定する場合の表示画面例であって、（Ａ）はユーザが最初に設定した最大発色パッチ（着目色パッチ）に基づく表示画面例であり、（Ｂ）は新たに設定された着目色パッチに基づく表示画面例である。
【図１２】ユーザが端末装置の表示に対するプロファイルを修正する方法（Ｓ４０）を示すフローチャートである。
【符号の説明】
【００８９】
１・・・端末装置
１０・・・通信部
１６・・・記憶部
２０・・・入力部
２２・・・表示部
２２０・・・表示画面
２２４ａ〜２２４ｄ・・・第１のパッチ領域〜第４のパッチ領域
２２６・・・周辺領域
３・・・端末装置本体
３０・・・ＣＰＵ
３２・・・メモリ
４・・・ＲＧＢ設定用表示プログラム
４０・・・着目色パッチ(第１のパッチ)設定部
４２・・・階調数ステップ設定部
４４・・・第２のパッチ生成部
４６・・・第３のパッチ生成部
４８・・・第４のパッチ生成部
５０・・・パッチ記憶部
５２・・・分割表示処理部
６・・・グレー軸の確認表示プログラム
６０・・・基準パッチ設定部
６２−１，６２−２・・・黒パッチ設定部
６４・・・確認パッチ設定部
６６・・・確認表示処理部
【図１】
2006094138.tif 000003
【図２】
2006094138.tif 000004
【図３】
2006094138.tif 000005
【図４】
2006094138.tif 000006
【図５】
2006094138.tif 000007
【図６】
2006094138.tif 000008
【図７】
2006094138.tif 000009
【図８】
2006094138.tif 000010
【図９】
2006094138.tif 000011
【図１０】
2006094138.tif 000012
【図１１】
2006094138.tif 000013
【図１２】
2006094138.tif 000014